【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
遊技機に対応して設けられ、吸引口から吸引した空気を清浄化して送出口から送出する空気清浄ユニットを備える遊技用装置であって、
本体部と、
前記空気清浄ユニットを有し、前記本体部内に収納される収納位置と該収納位置から引き出された引出位置との間で、前記本体部に設けられた案内レールにより移動可能に設けられた引出部と、
を備え、
前記引出部は、前面に前記送出口が設けられるとともに、対応する遊技機と反対側の側面にメンテナンスが必要なメンテナンス部品が設けられ、前記引出部が前記引出位置にあるときに前記メンテナンス部品が前記本体部の外部に臨むように構成され、
前記引出位置において前記引出部の前記案内レールからの抜脱を規制する規制状態と該規制状態が解除される非規制状態とに変化可能な規制部材と、
前記規制部材を前記非規制状態から前記規制状態とする際に操作される解除操作部と、
をさらに備え、
前記引出部が前記引出位置にあるときに前記解除操作部を操作して前記規制部材を前記非規制状態から前記規制状態とすることで、前記引出部が前記案内レールから抜脱可能であり、
前記空気清浄ユニットは、前記引出部が前記収納位置及び前記引出位置のいずれにあるときでも駆動可能である、
ことを特徴とする遊技用装置。
【請求項２】
遊技機に対応して設けられ、吸引口から吸引した空気を清浄化して送出口から送出する空気清浄ユニットを備える遊技用装置であって、
本体部と、
前記空気清浄ユニットを有し、前記本体部内に収納される収納位置と該収納位置から引き出された引出位置との間で、前記本体部に設けられた案内レールにより移動可能に設けられた引出部と、
を備え、
前記引出部は、前面に前記送出口が設けられるとともに、対応する遊技機と反対側の側面にメンテナンスが必要なメンテナンス部品が設けられ、前記引出部が前記引出位置にあるときに前記メンテナンス部品が前記本体部の外部に臨むように構成され、
前記引出部を、前記引出位置において、該引出位置と前記案内レールに対し交差する方向を向く回動位置との間で回動可能に支持する回動支持手段をさらに備え、
前記空気清浄ユニットは、前記引出部が前記収納位置及び前記引出位置のいずれにあるときでも駆動可能である、
ことを特徴とする遊技用装置。
【請求項３】
遊技機に対応して設けられ、吸引口から吸引した空気を清浄化して送出口から送出する空気清浄ユニットを備える遊技用装置であって、
本体部と、
前記空気清浄ユニットを有し、前記本体部内に収納される収納位置と該収納位置から引き出された引出位置との間で、前記本体部に設けられた案内レールにより移動可能に設けられた引出部と、
を備え、
前記引出部は、前面に前記送出口が設けられるとともに、対応する遊技機と反対側の側面にメンテナンスが必要なメンテナンス部品が設けられ、前記引出部が前記引出位置にあるときに前記メンテナンス部品が前記本体部の外部に臨むように構成され、
少なくとも前記メンテナンス部品は、前記引出部に対して前記対応する遊技機側に取り外し可能に設けられ、
前記空気清浄ユニットは、前記引出部が前記収納位置及び前記引出位置のいずれにあるときでも駆動可能である、
ことを特徴とする遊技用装置。
【請求項４】
遊技機に対応して設けられ、吸引口から吸引した空気を清浄化して送出口から送出する空気清浄ユニットを備える遊技用装置であって、
本体部と、
前記空気清浄ユニットを有し、前記本体部内に収納される収納位置と該収納位置から引き出された引出位置との間で、前記本体部に設けられた案内レールにより移動可能に設けられた引出部と、
を備え、
前記引出部は、
前面に前記送出口が設けられるとともに、対応する遊技機と反対側の側面にメンテナンスが必要なメンテナンス部品が設けられ、前記引出部が前記引出位置にあるときに前記メンテナンス部品が前記本体部の外部に臨むように構成され、
少なくとも前記メンテナンス部品を、前記引出位置において前記案内レールに対し略平行をなす装着位置と前記案内レールに対し交差する方向を向くメンテナンス位置との間で回動可能に支持する部品用回動支持手段を備え、
前記空気清浄ユニットは、前記引出部が前記収納位置及び前記引出位置のいずれにあるときでも駆動可能である、
ことを特徴とする遊技用装置。
【手続補正２】
【補正対象書類名】明細書
【補正対象項目名】０００８
【補正方法】変更
【補正の内容】
【０００８】
前記課題を解決するために、本発明の請求項１に記載の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット３００）であって、
本体部（本体枠３０１）と、
前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部３１０）と、
を備え、
前記引出部は、前面に前記送出口が設けられるとともに、対応する遊技機と反対側の側面（左側面）にメンテナンスが必要なメンテナンス部品（例えば、ブロア３２２、吸引口３２５、フィルタ３２６、イオン発生機３２４など）が設けられ、前記引出部が前記引出位置にあるときに前記メンテナンス部品が前記本体部の外部に臨むように構成され（図９参照）、
前記引出位置において前記引出部の前記案内レールからの抜脱を規制する規制状態と該規制状態が解除される非規制状態とに変化可能な規制部材（規制部材３５３）と、
前記規制部材を前記非規制状態から前記規制状態とする際に操作される解除操作部（解除操作片３５３ｅ）と、
をさらに備え、
前記引出部が前記引出位置にあるときに前記解除操作部を操作して前記規制部材を前記非規制状態から前記規制状態とすることで、前記引出部が前記案内レールから抜脱可能であり（図８及び図９参照）、
前記空気清浄ユニット（空気清浄ユニット３２０）は、前記引出部（引出部３１０／１３１０／２３１０／３３１０）が前記収納位置及び前記引出位置のいずれにあるときでも駆動可能である（図９〜図１２参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、解除操作部を操作して規制部材を非規制状態から規制状態とすることで、引出部を案内レールから抜脱できるようになり、これによりメンテナンス部品を突出物から離すことができるため、メンテナンス部品のメンテナンス作業を容易に行うことができる。また、空気清浄ユニットは、引出位置においても駆動することができるので、動作確認を容易に行うことができる。
【手続補正３】
【補正対象書類名】明細書
【補正対象項目名】０００９
【補正方法】変更
【補正の内容】
【０００９】
本発明の請求項２に記載の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット１３００）であって、
本体部（本体枠３０１）と、
前記空気清浄ユニットを有し、前記本体部内に収納される収納位置（図１０（Ｂ）参照）と該収納位置から引き出された引出位置（図１０（Ａ）（Ｃ）参照）との間で、前記本体部に設けられた案内レール（第１案内溝１３８０ａ、第２案内溝１３８０ｂ）により移動可能に設けられた引出部（引出部１３１０）と、
を備え、
前記引出部は、前面に前記送出口が設けられるとともに、対応する遊技機と反対側の側面（左側面）にメンテナンスが必要なメンテナンス部品（例えば、ブロア３２２、吸引口３２５、フィルタ３２６、イオン発生機３２４など）が設けられ、前記引出部が前記引出位置にあるときに前記メンテナンス部品が前記本体部の外部に臨むように構成され、
前記引出部を、前記引出位置において、該引出位置と前記案内レールに対し交差する方向を向く回動位置との間で回動可能に支持する回動支持手段（第１案内溝１３８０ａ及び第１案内軸１３９０ｂ、図１０参照）をさらに備え、
前記空気清浄ユニット（空気清浄ユニット３２０）は、前記引出部（引出部３１０／１３１０／２３１０／３３１０）が前記収納位置及び前記引出位置のいずれにあるときでも駆動可能である（図９〜図１２参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において引出部を引出位置から回動位置まで回動することで、メンテナンス部品を突出物から離すことができるため、メンテナンス部品のメンテナンス作業を容易に行うことができる。また、空気清浄ユニットは、引出位置においても駆動することができるので、動作確認を容易に行うことができる。
【手続補正４】
【補正対象書類名】明細書
【補正対象項目名】００１０
【補正方法】変更
【補正の内容】
【００１０】
本発明の請求項３に記載の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット２３００）であって、
本体部（本体枠３０１）と、
前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部２３１０）と、
を備え、
前記引出部は、前面に前記送出口が設けられるとともに、対応する遊技機と反対側の側面（左側面）にメンテナンスが必要なメンテナンス部品（例えば、ブロア３２２、吸引口３２５、フィルタ３２６、イオン発生機３２４など）が設けられ、前記引出部が前記引出位置にあるときに前記メンテナンス部品が前記本体部の外部に臨むように構成され、
少なくとも前記メンテナンス部品は、前記引出部に対して前記対応する遊技機側に取り外し可能に設けられ（例えば、図１１参照）、
前記空気清浄ユニット（空気清浄ユニット３２０）は、前記引出部（引出部３１０／１３１０／２３１０／３３１０）が前記収納位置及び前記引出位置のいずれにあるときでも駆動可能である（図９〜図１２参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において、メンテナンス部品を引出部に対して対応する遊技機側に取り外すことができ、これによりメンテナンス部品を突出物から離すことができるため、メンテナンス部品のメンテナンス作業を容易に行うことができる。また、空気清浄ユニットは、引出位置においても駆動することができるので、動作確認を容易に行うことができる。
【手続補正５】
【補正対象書類名】明細書
【補正対象項目名】００１１
【補正方法】変更
【補正の内容】
【００１１】
本発明の請求項４に記載の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット３３００）であって、
本体部（本体枠３０１）と、
前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部３３１０）と、
を備え、
前記引出部は、前面に前記送出口が設けられるとともに、対応する遊技機と反対側の側面（左側面）にメンテナンスが必要なメンテナンス部品（例えば、ブロア３２２、吸引口３２５、フィルタ３２６、イオン発生機３２４など）が設けられ、前記引出部が前記引出位置にあるときに前記メンテナンス部品が前記本体部の外部に臨むように構成され、
少なくとも前記メンテナンス部品を、前記引出位置において前記案内レールに対し略平行をなす装着位置と前記案内レールに対し交差する方向を向くメンテナンス位置との間で回動可能に支持する部品用回動支持手段（回動軸３３１４、図１２参照）を備え、
前記空気清浄ユニット（空気清浄ユニット３２０）は、前記引出部（引出部３１０／１３１０／２３１０／３３１０）が前記収納位置及び前記引出位置のいずれにあるときでも駆動可能である（図９〜図１２参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において、メンテナンス部品を装着位置からメンテナンス位置まで回動することで、メンテナンス部品を突出物から離すことができるため、メンテナンス部品のメンテナンス作業を容易に行うことができる。また、空気清浄ユニットは、引出位置においても駆動することができるので、動作確認を容易に行うことができる。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
本発明の手段４の遊技用装置は、請求項１〜４、手段１のいずれかに記載の遊技用装置であって、
前記規制部材（規制部材３５３）は、
前記案内レール（案内レール３８０ａ〜３８０ｄ）に対し交差する方向（左右方向）を向く回動軸（揺動軸３５４）を中心として、前記本体部（本体枠３０１）に設けられた被係止部（案内レール３８０ａの後端辺）に係止される規制位置（図８（Ａ）参照）と該被係止部に対する係止が解除される解除位置（図８（Ｂ）参照）との間で揺動可能に設けられるとともに、前記回動軸に対し所定の隙間を隔てて設けられ、該規制部材と前記回動軸との間に前記メンテナンス部品（例えば、ブロア３２２、吸引口３２５、フィルタ３２６、イオン発生機３２４など）から延出される配線（例えば、ケーブルＣ３など）を挿通可能とされ、
前記解除操作部の操作により前記規制位置から前記解除位置に移動することで、前記配線の所定箇所に当接して上方に押し上げる（例えば、図８（Ｂ）参照）、
ことを特徴としている。
この特徴によれば、規制部材の解除動作により配線が持ち上げられるため、引出位置から抜き出す際に案内レールに配線が引っかかりにくくなる。
【手続補正８】
【補正対象書類名】明細書
【補正対象項目名】００１７
【補正方法】変更
【補正の内容】
【００１７】
本発明の手段５の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット３００）であって、
本体部（本体枠３０１）と、
前記本体部に設けられた電源部（電源ユニット３０４）と、
該電源部とケーブル（ケーブルＣ１〜Ｃ３）を介して接続され、前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部３１０）と、
を備え、
前記引出部は、前面に前記送出口が設けられるとともに、対応する遊技機と反対側の側面（左側面）にメンテナンスが必要なメンテナンス部品（例えば、ブロア３２２、吸引口３２５、フィルタ３２６、イオン発生機３２４など）が設けられ、前記引出部が前記引出位置にあるときに前記メンテナンス部品が前記本体部の外部に臨むように構成され（図９参照）、
前記引出位置において前記引出部の前記案内レールからの抜脱を規制する規制状態と該規制状態が解除される非規制状態とに変化可能な規制部材（規制部材３５３）と、
前記規制部材を前記非規制状態から前記規制状態とする際に操作される解除操作部（解除操作片３５３ｅ）と、
をさらに備え、
前記引出部が前記引出位置にあるときに前記解除操作部を操作して前記規制部材を前記非規制状態から前記規制状態とすることで、前記引出部が前記ケーブルを介して接続された状態で前記案内レールから抜脱可能となる（図８及び図９参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、解除操作部を操作して規制部材を非規制状態から規制状態とすることで、引出部を案内レールから抜脱できるようになり、これによりケーブルを外すことなくメンテナンス部品を突出物から離すことができるため、メンテナンス部品のメンテナンス作業を容易に行うことができるとともに、電源と接続されているので動作確認を行うことができる。
【手続補正９】
【補正対象書類名】明細書
【補正対象項目名】００１８
【補正方法】変更
【補正の内容】
【００１８】
本発明の手段６の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット１３００）であって、
本体部（本体枠３０１）と、
前記本体部に設けられた電源部（電源ユニット３０４）と、
該電源部とケーブル（ケーブルＣ１〜Ｃ３）を介して接続され、前記空気清浄ユニットを有し、前記本体部内に収納される収納位置（図１０（Ｂ）参照）と該収納位置から引き出された引出位置（図１０（Ａ）（Ｃ）参照）との間で、前記本体部に設けられた案内レール（案内レール３８０ａ〜３８０ｄ）により移動可能に設けられた引出部（引出部１３１０）と、
を備え、
前記引出部は、前面に前記送出口が設けられるとともに、対応する遊技機と反対側の側面（左側面）にメンテナンスが必要なメンテナンス部品（例えば、ブロア３２２、吸引口３２５、フィルタ３２６、イオン発生機３２４など）が設けられ、前記引出部が前記引出位置にあるときに前記メンテナンス部品が前記本体部の外部に臨むように構成され、
前記引出部を、前記引出位置において、前記ケーブルを介して接続された状態で該引出位置と前記案内レールに対し交差する方向を向く回動位置との間で回動可能に支持する回動支持手段（第１案内溝１３８０ａ及び第１案内軸１３９０ｂ、図１０参照）をさらに備える、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において引出部を引出位置から回動位置まで回動することで、ケーブルを外すことなくメンテナンス部品を突出物から離すことができるため、メンテナンス部品のメンテナンス作業を容易に行うことができるとともに、電源と接続されているので動作確認を行うことができる。
【手続補正１０】
【補正対象書類名】明細書
【補正対象項目名】００１９
【補正方法】変更
【補正の内容】
【００１９】
本発明の手段７の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット２３００）であって、
本体部（本体枠３０１）と、
前記本体部に設けられた電源部（電源ユニット３０４）と、
該電源部とケーブル（ケーブルＣ１〜Ｃ３）を介して接続され、前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部２３１０）と、
を備え、
前記引出部は、前面に前記送出口が設けられるとともに、対応する遊技機と反対側の側面（左側面）にメンテナンスが必要なメンテナンス部品（例えば、ブロア３２２、吸引口３２５、フィルタ３２６、イオン発生機３２４など）が設けられ、前記引出部が前記引出位置にあるときに前記メンテナンス部品が前記本体部の外部に臨むように構成され、
少なくとも前記メンテナンス部品は、前記ケーブルを介して接続された状態で前記引出部に対して前記対応する遊技機側に取り外し可能に設けられている（例えば、図１１参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において、ケーブルを外すことなくメンテナンス部品を引出部に対して対応する遊技機側に取り外すことができ、これによりメンテナンス部品を突出物から離すことができるため、メンテナンス部品のメンテナンス作業を容易に行うことができるとともに、電源と接続されているので動作確認を行うことができる。
【手続補正１１】
【補正対象書類名】明細書
【補正対象項目名】００２０
【補正方法】変更
【補正の内容】
【００２０】
本発明の手段８の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット３３００）であって、
本体部（本体枠３０１）と、
前記本体部に設けられた電源部（電源ユニット３０４）と、
該電源部とケーブル（ケーブルＣ１〜Ｃ３）を介して接続され、前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部３３１０）と、
を備え、
前記引出部は、前面に前記送出口が設けられるとともに、対応する遊技機と反対側の側面（左側面）にメンテナンスが必要なメンテナンス部品（例えば、ブロア３２２、吸引口３２５、フィルタ３２６、イオン発生機３２４など）が設けられ、前記引出部が前記引出位置にあるときに前記メンテナンス部品が前記本体部の外部に臨むように構成され、
少なくとも前記メンテナンス部品を、前記引出位置において前記ケーブルを介して接続された状態で前記案内レールに対し略平行をなす装着位置と前記案内レールに対し交差する方向を向くメンテナンス位置との間で回動可能に支持する部品用回動支持手段（回動軸３３１４、図１２参照）を備える、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において、ケーブルを外すことなくメンテナンス部品を装着位置からメンテナンス位置まで回動することで、メンテナンス部品を突出物から離すことができるため、メンテナンス部品のメンテナンス作業を容易に行うことができるとともに、電源と接続されているので動作確認を行うことができる。